(57)【要約】【課題】  一般参加型のオーディションシステムを提供する。【解決手段】  ネットワークに接続されたアプリケーションサーバと、ＩＤを備えた携帯電話機とを使い、前記アプリケーションサーバは、オーディションの応募および投票のプログラムを実行するＣＰＵを有し、前記プログラムは、各段階の投票による審査を複数の応募者からなる投票対象となる審査グループに分け、低次の審査で選ばれた応募者を集めて高次の審査を行って最終審査に至る方式のプログラムと、前記ＩＤを識別することで前記審査グループ単位における同一携帯電話機からの重複登録を防止するプログラムと、低次の審査の途中で高次の審査の審査グループを構成する人数が集まった段階で低次の審査は継続しつつ高次の審査を行う先入れ先出し方式の多重投票プログラムと、低次の審査で選ばれなかった応募者を集め、その中から選ばれた応募者を高次の審査に組み込む敗者復活のプログラムとを含む。【選択図】  図２
2010282321.tif 000002
【特許請求の範囲】
【請求項１】
ネットワークに接続されたアプリケーションサーバと、ＩＤを備えた携帯電話機とで構成されるオーディションシステムであって、
前記アプリケーションサーバは、オーディションの投票プログラムを実行するＣＰＵを有し、
前記プログラムは、各段階の投票による審査を複数の応募者からなる投票対象となる審査グループに分け、低次の審査で選ばれた応募者を集めて高次の審査を行って最終審査に至る方式のプログラムと、
前記ＩＤを識別することで前記審査グループ単位における同一携帯電話機からの重複投票を防止するプログラムと、
低次の審査の途中で高次の審査の審査グループを構成する人数が集まった段階で低次の審査は継続しつつ高次の審査を行う先入れ先出し方式のプログラムと、
低次の審査で選ばれなかった応募者を集め、その中から選ばれた応募者を高次の審査に組み込む敗者復活のプログラムと、
を含むことを特徴とするオーディションシステム。
【発明の詳細な説明】
【技術分野】
【０００１】
本発明は、携帯電話機を使って投票するオーディションシステムに関する。
【背景技術】
【０００２】
携帯電話を用いて応募或いは投票を行うシステムとして特許文献１〜３に挙げるものが知られている。
【０００３】
特許文献１には、インターネット通信網を介したコンテストサーバと、パケット通信網を介してＮＴＴドコモの「ｉモード」(登録商標)通信を行うパケット処理部、画像及び文字を表示するディスプレイ及び文字入力を行う入力部を備えた携帯電話とで構成されるコンテストシステムが開示されている。
【０００４】
特にこの特許文献１には、コンテストの応募者及び投票者が当該携帯電話を操作して上記パケット処理部を介してアクセスし、インターネット検索用ブラウザを使って上記コンテストサーバのＣＰＵによってコンテストの応募及び投票のプログラムを実行し、当該ＣＰＵを使って携帯電話からのアクセスに対して上記ＮＴＴドコモの「ｉモード」(登録商標)通信を実行し、通信確立後に当該携帯電話からＩＤ番号を取得し、当該ＣＰＵを使ってこのＩＤ番号を用いて同一携帯電話からの重複登録を防ぎ、上記投票者の一次予選(地区大会)の投票結果に基づき被選抜者を対象とした二次予選(大地区大会)の投票を上記投票者に通知し、二次予選(大地区大会)以降、県大会の投票を行い、最終選考である全国大会の投票を行い、その投票結果を投票者に通知することが開示されている。
【０００５】
特許文献２には、コンテストの作品評価方法として、一次評価を通過したものを二次評価の対象とし、さらに二次評価を通過したものを三次評価の対象とすることにより、最終選考を行うことが開示されている。
【０００６】
特許文献３には、投票型通信システムとして、複数の応募者全員の画像を同時に携帯電話端末の表示部に表示し、当該複数の応募者のうち特定の応募者の画像を表示画面の中から選択し、当該画像を携帯電話端末の表示部に拡大表示する方法が開示されている。
【０００７】
特許文献４には、カメラサーバ装置の制御方法として、撮影画像が一部オーバーラップした画像において、画像が変化する領域を静止画像で置き換えることによりプライバシーを保護する技術が開示されている。
【０００８】
更に特許文献５には、モバイル向けコンテンツとして、９つのサムネイル画像を、携帯電話のテンキーの１乃至９のボタンに対応付けることが開示されている。
【先行技術文献】
【特許文献】
【０００９】
【特許文献１】国際公開第０２／０９１２５９号
【特許文献２】国際公開第０２／０５４３１１号
【特許文献３】特開２００３−１１４９５５号公報
【特許文献４】特開２００５−１１７１６３号公報
【特許文献５】特開２００３−２７３９７１号公報
【発明の概要】
【発明が解決しようとする課題】
【００１０】
上記特許文献のうち携帯電話を用いたオーディションやコンテストなどの投票に関して開示があるのは特許文献１〜３である。そして、これら特許文献１〜３のうち、１次審査によって選ばれた作品（人）が２次審査に進む方式について記載されているのは、特許文献１、２である。
【００１１】
特許文献１、２も含め、一般的なオーディションやコンテストは低次の審査が終了してから高次の審査を開始するようになっている。
この方式は、応募作品（応募人数）が少ない場合には、それほど問題にならないが、応募作品（応募人数）が多くなると１次審査に時間がかかってしまい、１次審査の結果を待って２次審査を開始していたのでは、最終審査までに極めて長い期間を要してしまう。逆に決められた期間内で多くの応募者を審査しようとすると、多人数からいきなり１人または２人に絞るなど、きめ細かな審査が行えない。
【００１２】
また、応募者も審査の結果を早く知りたいが、結果を知るまでの時間が長いと、興味が薄れ、臨場感がなくなってしまう。このことは、オーディションやコンテストの主催者にとっても好ましくない。
【課題を解決するための手段】
【００１３】
上記課題を解決するため本発明に係るオーディションシステムは、ネットワークに接続されたアプリケーションサーバと、ＩＤを備えた携帯電話機とで構成されるオーディションシステムであって、前記アプリケーションサーバは、オーディションの投票プログラムを実行するＣＰＵを有し、前記プログラムは、各段階の投票による審査を複数の応募者からなる投票対象となる審査グループに分け、低次の審査で選ばれた応募者を集めて高次の審査を行って最終審査に至る方式のプログラムと、前記ＩＤを識別することで前記審査グループ単位における同一携帯電話機からの重複投票を防止するプログラムと、低次の審査の途中で高次の審査の審査グループを構成する人数が集まった段階で低次の審査は継続しつつ高次の審査を行う先入れ先出し方式のプログラムと、低次の審査で選ばれなかった応募者を集め、その中から選ばれた応募者を高次の審査に組み込む敗者復活のプログラムとを含むことを特徴とする。
【００１４】
前記Ｗｅｂ上の最終審査の後に、特定の審査員による選考をテレビ番組や会場を決めて行うことも可能である。また、本発明における携帯電話は画像および文字を表示する表示部、及び文字入力部をするキーボタンを備えるとともに特定のＩＤが確認できるものであればよく、したがって特定のＩＤが確認できる双方向通信が可能なモバイル端末であってもよい。また、低次の審査と高次の審査を同時並行的に行うのは全ての段階の審査でなくてもよい。例えば、１次から５次まで審査がある場合に、１次から４次までの審査を同時並行的に行うようにしてもよい。
【発明の効果】
【００１５】
本発明は、携帯電話を使用した一般利用者参加型のオーディションシステムであるので公平さを担保することができる。
【００１６】
また、低次の審査と高次の審査を同時並行して行うため、応募人数が多い場合でも、最終審査に至るまでの期間を短縮することができる。即ち、従来のトーナメント方式に比べると募集時間を最大化することが可能となるので、募集の締め切りを最終審査の数日前に設定することもでき、大勢の人材の中から有能な候補者を選抜したい場合には特に有効となる。
【００１７】
また、審査が終了した審査グループに関しては、表示対象から外すようにしたため、個人情報が流用されるおそれが極めて低くなる。
【図面の簡単な説明】
【００１８】
【図１】本発明に係るシステムの一実施形態の構成を表わすブロック図
【図２】オーディションシステムの段階別ステップを示す図
【図３】審査グループの結成を説明した図
【図４】３番目の審査グループまでの審査を示す図
【図５】オーディションシステムの審査プロセス全体を示す図
【図６】敗者復活戦のグループ形成のプロセスを示す図
【図７】応募／投票システムのフローチャート
【図８】登録済み携帯電話によるオーディション応募プロセスを示す図
【図９】投票画面の例を示す図
【発明を実施するための形態】
【００１９】
以下に本発明を実施するための最良の形態を図面に基づいて詳細に説明する。
図１に示すように本発明に係るオーディションシステムは、インターネットなどのネットワーク１と、ネットワーク１にセンターを介して通信を行う基地局２と、基地局２とアンテナ３を介して通信を行う携帯電話機４と、オーディション関連情報の記憶手段を備えたデーターベース６を持つアプリケーションサーバ５で構成され、オーディションシステムは、前記ネットワーク１を介した接続で前記携帯電話機４と交信する際に相互認証する手段を有し、前記携帯電話機４はオーディション応募者及び投票者のＩＤと、ネットワーク１を介して暗号化通信をする通信インターフェース部と、画像および文字を表示する表示部、及び文字入力部をするキーボタンを備える。
【００２０】
前記ネットワーク１に接続されるアプリケーションサーバ５は、オーディションの応募および投票のプログラムを実行するＣＰＵを有し、前記プログラムは、各段階の審査を複数の応募者からなる審査グループに分け、低次の審査で選ばれた応募者を集めて高次の審査を行って最終審査に至る方式のプログラムと、前記ＩＤを識別することで前記審査グループ単位における同一携帯電話機からの重複投票を防止するプログラムと、低次の審査の途中で高次の審査の審査グループを構成する人数が集まった段階で低次の審査は継続しつつ高次の審査を行う先入れ先出し方式のプログラムと、審査が終了した審査グループを表示対象から外すプログラムとを含む。
【００２１】
前記アプリケーションサーバ５は、オーディションの応募者および投票者からのアクセスがあるとオーディションの応募および投票のプログラムを実行する。前記アクセスはオーディションの応募者および投票者が前記携帯電話機４を操作して行う。尚、本発明の場合、アプリケーションサーバ５は投票に関する処理のみを実行するものであってもよい。
【００２２】
前記ＣＰＵによって、前記携帯電話機からのアクセスに対して前記相互認証にＳＳＬの暗号化通信を実行し、データ通信確立後に前記携帯電話機からＩＤを取得し、前記アプリケーションサーバのＣＰＵを使って前記ＩＤを使って同一審査グループに対する前記携帯電話機からの重複投票を防止し、前記投票者の投票結果に基づき被選抜者を投票対象とした次の段階の投票を前記投票者に通知し、二回目以降の投票を繰り返して最終選考結果を投票者に通知する。
【００２３】
前記携帯電話機４は、キーボタンと画像を１ボタン１人に対応させる形式で複数の被選択者となる応募者全員の画像を同時に表示する画面を前記表示部に表示し、表示された複数の応募者のうちの特定の応募者の画像が画面上で前記キーボタンによって選択されることにより前記画像を前記表示部に詳細表示する構成とした。
【００２４】
前記アプリケーションサーバ５のハードウェアは汎用のサーバコンピュータが使え、ＣＰＵ、ＲＯＭ、ＲＡＭ、ＨＤＤ、ＢＩＯＳ、通信インターフェース部（ＣＯＭ  Ｉ／Ｆ）、キーボードＫＢやマウスＭＳなどの入力部、およびディスプレイＤＳＰで構成されている。このうち、ＲＯＭ、ＲＡＭ、ＨＤＤ、ＢＩＯＳ、通信インターフェース部（ＣＯＭ  Ｉ／Ｆ）はバスを介して前記ＣＰＵと接続されていて、キーボードＫＢやマウスＭＳはヒューマンインターフェースＨＩ／Ｆを介して前記ＣＰＵと接続されている。
【００２５】
上記の構成において、ＲＯＭは、システムプログラムを記憶する読み出し専用記憶デバイスである。
ＣＰＵは、ＢＩＯＳやＲＯＭに記憶されているシステムプログラムによって起動され、ＲＡＭに展開されたプログラム（アプリケーションプログラム）にしたがって各種の処理を実行する機能を持つ。
【００２６】
またＣＰＵは、入力部からの信号をトリガとして、前記システムプログラムの演算結果などをディスプレイに表示させる機能も持ち、ＲＡＭは、前記ＣＰＵが各種の処理を実行する上において必要なプログラムやデータなどを適宜記憶する機能を持つ。
【００２７】
通信インターフェースは、ハードディスク、通信部インターフェース部、入力部１８、およびディスプレイの入出力を管理するようになされている。
【００２８】
ディスプレイＤＳＰは、ＣＲＴやＬＣＤなどにより構成され、ＣＰＵの制御によってＣＰＵの演算結果や外部からの入力データを表示する機能を持っている。
【００２９】
前記ＣＰＵ、ＲＯＭ、ＲＡＭ、ハードディスク、通信インターフェース部、キーボードやマウスなどの入力部、およびディスプレイは、バスを介して、ＣＰＵを中心として相互に接続されている。
【００３０】
携帯電話機の基地局２は、携帯電話機４と無線で接続するための、携帯電話事業者が管理する設備であり、それがカバーするセル（ＰＨＳの場合はマイクロセル）内の携帯電話機４と、無線通信により情報を相互に伝達する働きをする。
【００３１】
また前記アプリケーションサーバ５は、本発明の各種の手段又はステップによる機能を実行するためのＷｅｂページを提供するＷｅｂサイト（以下、「応募受付サイト」と称する）をインターネットのＷＷＷ上に提供するＷＷＷサーバとしても機能する。
【００３２】
オーディション応募者及び投票者の携帯電話機４は、携帯電話機の基地局２との通信機能と、ネットワーク１を介してブラウザ閲覧やメールの送受信をするＳＳＬ通信機能と、オーディションサイトの画面情報を受信して画面に表示する機能と、オーディションで投票する際の選択手段を備え、またキーボタンに対応して複数の応募者を同時に表示する画面表示機能と、前記複数の応募者のうちの特定の応募者を拡大表示する機能を持つ構成となっている。
【００３３】
アプリケーションサーバ５は、携帯電話機４とＳＳＬ通信するための相互認証機能やデーターベース６の制御を含むアプリケーションソフトウェアと、携帯電話機４から受信した携帯電話機のＩＤデータを格納するメモリとで構成されるサーバコンピュータである。
【００３４】
前記アプリケーションサーバ５は、登録済み参加者のメールアドレスを登録するメモリと、前記応募者がオーディションにエントリーする際の認証機能および重複防止機能と、前記メールアドレスの照合機能および重複防止機能と、前記投票者の投票結果に基づき被選抜者を投票対象とした次の段階の投票を前記投票者に通知する機能と、二回目以降の投票を繰り返し、最終選考結果を投票者に通知する機能を備えている。
【００３５】
前記携帯電話機４からアクセスできるネットワークには、例えばｉモード（登録商標）、ＥＺｗｅｂ（登録商標）やヤフー（登録商標）ケータイなどのネットワークがある。
【００３６】
外部の携帯電話機４に対するコンテンツを供給する目的でネットワーク１にはアプリケーションサーバ５が接続され、このアプリケーションサーバ５は、オーディション応募者から送られてきた応募データや、オーディション応募者や投票者の携帯電話機４が持つ排他的に識別可能なＩＤなどを格納するデーターベース６に接続されている。
【００３７】
ＩＤ番号は、オーディション応募者が使用する携帯電話機４を、ネットワークを介した通信時に識別するためのＩＤ番号を表わすデータである。ＩＤ番号は、好適には、携帯電話機に備えられるＳＩＭ（Ｓｕｂｓｃｉｂｅｒ  Ｉｄｅｎｔｉｔｙ  Ｍｏｄｕｌｅ）カードに保存される固有番号ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）あるいはその従属データが好ましい。ＩＤ番号は、数値に限られず、文字を使ったＩＤデータであってもよい。携帯電話機４とネットワーク１を介して情報の通信を行うアプリケーションサーバ５は、ＳＳＬ暗号化通信時にこのＩＤ番号を取得することにより、携帯電話機４を特定することができる。
【００３８】
携帯電話機４の登録時には、アプリケーションサーバ５と携帯電話機４がＳＳＬ暗号化通信による接続を確立した後に、アプリケーションサーバ５が携帯電話機４にコマンドを送信することにより携帯電話機４のＩＤを取得し、アプリケーションサーバ５のデーターベースに前記ＩＤを格納することにより携帯電話機４を登録する。
【００３９】
同一の携帯電話機４からのアプリケーションサーバ５に対する２回目以降のアクセスにおいては、アプリケーションサーバ５は前記データーベースの中から登録済ＩＤを検索して、登録確認をして重複応募拒否や重複投票拒否をすることができる。
【００４０】
利用者の利便性を向上させるために、携帯電話機４がオーディションサイトにアクセスした後、アプリケーションサーバ５は前記コマンドで携帯電話機４からＩＤを取得して相手の携帯電話機４を特定した後に自動的にログインさせることもできる。
【００４１】
携帯電話機４は、データーベース６に会員登録されたＩＤ番号を持ち、会員登録済であれば、アプリケーションサーバ５を介してデーターベース６にデータを登録することができる。
【００４２】
上記において、他のサイトからリンクを張って誘導した他組織の会員でも、上記のＳＳＬ暗号化通信による接続を確立した後に、アプリケーションサーバ５が携帯電話機４のＩＤを取得し、データーベース６に登録することができる。
【００４３】
図２に示すように、オーディションはステップＳ０１において第１次審査が行われ、この第１次審査と同時並行的にステップＳ０２の第２次審査投票が行われ、この後対面形式の面接による最終段階オーディションとしてステップＳ０３の第３次審査が行われる。説明を簡単にするため、ステップＳ０１〜０３で説明したが、ステップＳ０２とステップ０３の間には複数段の審査を先入れ先出し方式によって同時並行的に行うようにしてもよい。
【００４４】
投票は、先入れ先出し方式で行う。まず、図３に示すように応募者が９人揃った段階で第１グループＧ１の第１次審査を行う。審査はサイトアクセス権利を持つ有権者に１人につき１票を投票してもらい、例えば、上位３名を選出する。
【００４５】
前記上位３名は、９名の中から選ばれた時点で第１次審査を通過し、第２次審査投票に進む。一方、図４に示すように、第１グループＧ１の後に揃ったグループＧ２、Ｇ３の中から選ばれた２組の３名群を先の３名と一緒にして第２次審査を受ける９名の中に組み込む。この９名は前記Ｗｅｂオーディションと同じ方法で第２回目のオーディションを受け、上位３名は第２次審査の終了を待たずして、図５に示すように、第３次審査のＷｅｂオーディションへと進んで行く（先入れ先出し方式）。
【００４６】
３名を選抜する方法としては、例えば投票数が１００名を越える順番が早い者順に３名を選抜する方法や、期限を限定してグループが形成されてから３日間に限定して、期間終了時の高得点者３名を選抜する方法も考えられる。
【００４７】
投票権の付与については、各審査グループに対して１回だけ付与する方法や、１日に１回の投票権を付与する方法などが考えられる。各グループに対して１回だけ付与する方法であれば、投票者は各段階における全グループに対して１回だけ投票が許される。
【００４８】
上記のように、９名ずつのグループを審査対象とすることにより最終審査以外は短時間で審査を上り詰めることが可能となるので、応募者は最終審査までの段階の審査結果を早く知ることができ、結果が忘れた頃に知らされるといったタイムラグがなくなる。尚、実施例では９名で１つの審査グループを作り、３名を選出するようにしたが、人数などはこれに限らない。
【００４９】
第２次審査（高次審査）は第１次審査よりも詳しいオーディションデータを使った投票とすることができる。例えば、フラッシュ画像データでは、応募者の素顔や、特技、演技能力などを自己アピールすることでタレント性を評価してもらう。この画像には、例えばアドビシステムズ株式会社のＡｄｏｂｅＦｌａｓｈＬＥ（登録商標）３やＭａｃｒｏｍｅｄｉａ（登録商標）ＦｌａｓｈＬｉｔｅなどの閲覧ソフト技術を使って閲覧は可能であるがダウンロードは出来ない技術を使う。
【００５０】
また、音声データでは、歌や楽器演奏や声優吹き替えなどの自分の得意とする音声を提供してもらうことにより、映像と一緒あるいは音声のみでタレント性を評価してもらうことができる。
【００５１】
上記の第２次審査においては、投票者が応募者に対して応援メッセージを送ったり、臨時ブログを用意して前記投票者と応募者がブログを介してコミュニケーションをとることも可能である。また、投票結果はリアルタイムに表示されるので、従来のような閉鎖的な選考にはならない利点がある。
【００５２】
最終審査以外のレベルにおいては、画面の配置を投票数の順位で並べることにより、画面に表示された９名の中で誰の人気が一番高いのかを知ることができるので、この順位を参考にして投票することも可能となる。
【００５３】
また、ルーレット方式で、所定時間、例えば３秒毎に並べる順序を入れ換えて表示すれば、画面中での個人的な認識特性の差を軽減した投票結果が期待できる。この場合には、特定のボタンを押すことにより投票意志を示し、画面を固定することにより固定画面での投票モードに移行することができる。
【００５４】
第１グループＧ１〜第３グループＧ３までの各グループから上位３名が選抜され、選抜者の合計人数が９人になった時点で、第２次審査のグループＧ１０１が結成される。また審査が終了したグループについては、画面に表示しないため、個人情報が長期間オープンになってしまうことがない。
【００５５】
図５の横軸の応募の時間軸においては、各グループＧ１〜Ｇ１０の１番目から１０番目までがグループを構成する９人の応募者で、応募した順に番号が付けられている。そして、審査の時間軸については主催者が自由に設定できるようにしているため、必ずしも応募した順に第１次審査を行わず、例えばグループＧ３の特定の応募者に極めて多くの投票がなされている場合などには、グループＧ４をグループＧ３よりも先に第１次審査を行い、グループＧ３の特定の応募者にどれだけ投票が集まるかを確認してもよい。
【００５６】
図６は、敗者復活戦のグループ形成のプロセスを示している。敗者復活の審査では、最初の段階で第１次審査で選抜されなかった応募者同士あるいは後から応募して来た応募者と混在させたグループを形成することにより新しいグループでの新規審査を受けることを可能とした。
【００５７】
例えば、第１番目〜第３グループＧ１〜Ｇ３で落選した応募者１８名を９名ずつ２つのグループに分け、各グループから１名を選抜し、この者を第２次審査に復活させる。尚、敗者復活のパターンは上記以外にも多くの方法があるが、敗者復活の審査も前記した先入れ先出しと同様に、他の審査と同時並行して行うことで、審査の効率が向上する。
【００５８】
敗者復活戦を導入することにより、特定次元の審査に落選した応募者に再チャレンジのチャンスを与えることが出来るだけでなく、前述の通り特定次元の審査に落選した応募者と新規応募者を組み合わせることにより、新規応募者の審査待ち時間を短縮することも出来るので、選抜する対象によって審査時間を調節することができるようになる。
【００５９】
図７は、応募／投票システムのフローチャートを示している。投票には別サイトの会員携帯電話機４からでも非登録の携帯電話機４からでも参加できる。
【００６０】
まず、携帯電話機４の利用者は、ステップＰＰ０１で携帯電話機４からネットワークにアクセスし、オーディションサイトを開く。
【００６１】
携帯電話機４の画面に応募か投票を選択する画面が出たら携帯電話機４の利用者はどちらかを選択する。応募を選択した場合は、ステップＰＰ０３にて応募の受け付け画面から入って所定の応募手続きを踏む。以降の応募手続き内容は図７のステップＰＥ０１からと同様の手続きとなる。
【００６２】
ステップＰＰ０２で投票を選択した場合には、ステップＰＰ０４において投票画面の選択を行う。これは、本発明システムの特徴であり、複数の投票段階を選択することにより同時進行的に複数の審査段階において投票が可能となるものである。
【００６３】
ステップＰＰ０４において、例えば第２審査段階を選択した場合には、固有ＩＤを持つ携帯電話機４を使って第２審査段階の特定グループに対して投票したことがあるか否かを確認する。もし過去に前記特定グループに対して投票した履歴が残っていた場合には重複投票として認識され、ステップＰＰ０９に進み処理が終了する。
【００６４】
ステップＰＰ０５において重複投票が確認されなかった場合には、初回として認定され、ステップＰＰ０６において投票が可能となる。
【００６５】
ステップＰＰ０６における投票が有効になると、ステップＰＰ０７において、その投票を反映した投票結果が携帯電話機４の画面に表示され、自分の投票がどれほど投票結果に影響を与えたかが視覚によって認識できる。
【００６６】
ここで固有ＩＤを持つ携帯電話機４を使った特定グループに対する投票権は消尽したが、まだ投票権の残っている他のグループが存在する場合には、ステップＰＰ０８における選択で他のグループに対する投票を続けることができる。
【００６７】
ステップＰＰ０８において、もう投票する意志がない場合には、終了を選択することによってステップＰＰ０９にて終了画面が表示される。
【００６８】
図８は、登録済み携帯電話によるオーディション応募プロセスを示している。
左側は携帯電話機４のプロセス、右側はアプリケーションサーバ５による処理を示している。
【００６９】
オーディション応募者は、ステップＰＥ０１で携帯電話機４からネットワークにアクセスし、オーディションサイトを開く。
【００７０】
ステップＰＥ０２で、アプリケーションサーバ５はデーターベース６を参照し、携帯電話機４から送られて来たメールアドレスデータが既に１回登録を済ませた記録のある携帯電話機のＩＤである場合には、その旨を前記携帯電話機４にメールで通知すると共に、受け付けを終了する。
【００７１】
前記ステップＰＥ０２にて携帯電話機４のＩＤ確認ができると、ステップＰＥ０３でオーディションの仮登録データをアプリケーションサーバ５に送信して仮登録をして携帯電話のメールアドレスを送り、ステップＰＥ０４で仮登録を受け付け、ステップＰＥ０５で前記メールアドレスにＵＲＬが記載されたメールを送信する。
【００７２】
ここで携帯電話機４が正しく登録されている携帯電話機であればアプリケーションサーバ５からの会員サイトのＵＲＬが記載されたメールを受け取り、ステップＰＥ０６で会員サイトの画面表示にて、会員規程などの情報を確認し、仮登録データを入力することが出来る。
【００７３】
前記仮登録データは、応募画面から公開データとして写真添付メール（同じ背景を持つ静止画３枚）、芸名、年齢、出身地、自己ＰＲ、登録希望カテゴリーを入力する。更に、非公開データとして本名と連絡先の住所、電話番号、メールアドレス（確認用）などである。
【００７４】
前記仮登録データに含まれる個人情報データに加え、応募番号データ、及びＳＳＬ暗号化通信で取得した携帯電話機４のＩＤ番号は、応募者単位ごとに相互に関連付けられてデータが管理され、ある応募者に関するいずれかのデータをキーとして、その応募者に関する他のデータを検索することができる。
【００７５】
アプリケーションサーバ５は、ステップＰＥ０７で、前記仮登録した情報が正しい情報であることを確認して認証を終了する。
【００７６】
次に、アプリケーションサーバ５は、ステップＰＥ０８で課金同意書の内容をメールで携帯電話機４に送る。
【００７７】
ステップＰＥ０９で携帯電話機４は課金同意書の文面を携帯電話機４の画面上で閲覧することにより確認できる。
【００７８】
携帯電話機４を操作する応募者は、課金同意書の内容に同意できる場合はステップＰＥ１０で課金同意のメッセージをアプリケーションサーバ５に送り、ステップＰＥ１１でアプリケーションサーバ５は前記応募者の登録を完了すると共に別プロセスで携帯電話機４に対してＩＤ番号を使って課金する。
【００７９】
ステップＰＥ１２にて、データーベース６に保存された初期登録データは、アプリケーションサーバ５に接続されたディスプレイに情報を表示することにより書式審査を受ける。
【００８０】
更にオーディション関係者は、前記応募者が応募画面に入力した仮登録データを確認し、例えば、添付された写真が有害な写真でないかどうかなどの書式審査をする。
【００８１】
前記書式審査が終わると、ステップＰＥ１３において、前記写真添付メールの同一背景を使って撮影された静止画３枚からフラッシュ画像を生成し、更に９名分の前記フラッシュ画像から９名の画像が１つの画面に入るようなサムネイル処理をする。
【００８２】
上記サムネイル処理の後に、セキュリティーを強化する目的で、前記サムネイル画像から生成したスライドショーフラッシュ画像には電子透かしを入れておけば万一画像が流出した際にも出所を明かにすることができる。
【００８３】
編集の終わったフラッシュ画像はステップＰＥ１３で応募者の携帯電話４に送られ、ステップＰＥ１４で応募者が内容に同意すればステップＰＥ１５で掲示同意を入力し、ステップＰＥ１６でアプリケーションサーバ５が提示同意を受信する。
【００８４】
提示同意を受けて、アプリケーションサーバ５はステップＰＥ１７にて前記サムネイルフラッシュ画像をアップロードして公開し、ステップＰＥ１８で作業を終了する。
【００８５】
上記において、携帯電話機４に対しては課金同意書などの契約事項をあらかじめオープニングの画面で表示して同意の可否を選択させることにより、ステップＰＥ１１から通信を開始することも考えられる。
【００８６】
図９（ａ）〜（ｃ）はフラッシュ画像画面の例を示している。（ａ）は、オーディション審査でフラッシュ画像を表示した画面、（ｂ）は、選択画像の拡大画面、（ｃ）は選択画像の応募者プロフィールを表示した画面を示している。本実施例においては、複数の応募者を同時に表示する画面表示に表示される応募者の画像は、前記携帯電話機の１から９のボタンに対応させた９人分の画像とした。ここで、投票ボタンは前記選択画像の拡大画面の中に表示することができる。
【００８７】
同じ画面に９人分の画像を表示する場合においても、目立つ位置には個人差があり、単に良い位置に表示されたからという理由で投票が決まるのではオーディションの趣旨に反するので、例えば９人分の画像に携帯電話ボタンに対応させた番号（１〜９）を付与した上で、ゆっくり右方向に動かし、テレビ画面のラスタースキャンの様につづら折り移動させて画像位置に依存しない選択画面を構成することも考えられる。
【００８８】
また、投票者が前記携帯電話機の１から９のボタンに対応させた番号を付与した画像９人分の中から１人を選択した場合に、選択された画像を画面中央に配置し、残りの８人分の画像を輪転させることにより選択された画像と目立つ位置の画像を完結的に比較できるので、選択が正しかったかどうかの確認が楽になる。
【００８９】
図９（ａ）には、１番から９番までの９個のサムネイルフラッシュ画像が表示されている。表示画面７ａの画像にカーソルを合わせて携帯電話機４の入力ボタン８の中の特定ボタンをクリックするかタッチセンサーパネルの場合は表示画面７ａの画像をクリックすると画像が拡大されて図９（ｂ）の画面７ｂに拡大画面が表示される。
【００９０】
ここで指定ボタンを押すと、図９（ｃ）に示すように画像が拡大画像７ｂからプロフィール情報画面７ｃに表示切り替えされる。投票者は拡大画面７ｂとプロフィール情報画面７ｃによって９人の中からどの応募者に投票するかを意志決定する。前記投票者は何番のフラッシュ画像を選択したかを理解しているが、例えば他のデジタルカメラなどでプロフィールを撮影しても、同じ画面にフラッシュ画像とプロフィールが一緒に表示されることはないので、個人情報の悪用可能性を低減できる。
【産業上の利用可能性】
【００９１】
高い普及率を持つ携帯電話における画面一覧性を利用し、複数段階の審査を同時並行的に実施することにより、上次元での審査を前倒し実行し、全体として審査時間の短いオーディションなどを行うことができるので、結果として短時間で従来と同様の選考を行うことができ、オーディションの応募者と投票者をともに増やすことができるので高価な専用システムを使わずともコストパフォーマンスの高いオーディションシステムが提供できる。
【符号の説明】
【００９２】
１…ネットワーク、２…携帯電話機の基地局、３…基地局アンテナ、４…携帯電話機、５…アプリケーションサーバ、６…データーベース、７…携帯電話機の表示画面、８…携帯電話機の入力ボタン、９…ヘッダー画像、１０…応募者写真その１、１２…応募者写真その２、１３…応募者写真その３、１４…フッター画像、１５…フラッシュ画像。
【図１】
2010282321.tif 000003
【図２】
2010282321.tif 000004
【図３】
2010282321.tif 000005
【図４】
2010282321.tif 000006
【図５】
2010282321.tif 000007
【図６】
2010282321.tif 000008
【図７】
2010282321.tif 000009
【図８】
2010282321.tif 000010
【図９】
2010282321.tif 000011